(57)【特許請求の範囲】
【請求項１】
上下に重ねられる上下の棚を有し、前記棚が、平面形状矩形の、長手方向を前後方向に向けた左右一対の棒材、及び棒材に渡し止められた長手方向を左右方向に向けた所要本の渡し棒からなる水平物品載置部と、水平物品載置部の前縁及び後縁に垂下状に設けられた前後側脚部材とを有し、前記前側脚部材が、水平物品載置部の前縁左右部に垂下状に設けられた一対の前側垂下脚と、左右の前側垂下脚の下端に渡された前側水平棒本体、及び前側水平棒本体の左右端に後方突出状に設けられた端部からなる前側水平棒とを有し、下側となる棚の水平物品載置部の一番前の渡し棒と、一番前の渡し棒より前方に突出する、左右の棒材の前部とにより形成され、前方及び上下方に開放した空間の右側部に、上側となる棚の右側の前側垂下脚が嵌まる、逃がし凹所が形成され、上側となる棚の前側水平棒の前側水平棒本体と端部とにより形成され、後方及び上下方に開放した空間の左側部に、下側となる棚の左側の前側垂下脚が嵌まる、逃がし凹所が形成されている棚の組み合わせ。
【請求項２】
平面形状矩形の、長手方向を前後方向に向けた左右一対の棒材、及び棒材に渡し止められた長手方向を左右方向に向けた所要本の渡し棒からなる水平物品載置部と、水平物品載置部の前縁及び後縁に垂下状に設けられた前後側脚部材とを有し、前記前側脚部材が、水平物品載置部の前縁左右部に垂下状に設けられた一対の前側垂下脚と、左右の前側垂下脚の下端に渡された前側水平棒本体、及び前側水平棒本体の左右端に後方突出状に設けられた端部からなる前側水平棒とを有し、水平物品載置部の一番前の渡し棒と、一番前の渡し棒より前方に突出する、左右の棒材の前部とにより形成され、前方及び上下方に開放した空間の右側部に、右側の前側垂下脚が嵌まるようになされた、逃がし凹所が形成され、前側水平棒の前側水平棒本体と端部とにより形成され、後方及び上下方に開放した空間の左側部に、左側の前側垂下脚が嵌まるようになされた、逃がし凹所が形成されている棚。
【発明の詳細な説明】
【０００１】
【発明の属する技術分野】
本発明は、流し台等の物品収納空間の底板に載置されて好適に使用される棚の組み合わせ及び棚に関する。
【０００２】
【従来の技術】
従来、この種の棚として以下の如きものは知られている。
平面形状矩形の水平物品載置部と、水平物品載置部の前縁及び後縁に垂下状に設けられた前後側脚部材とを有し、前記前後側脚部材各々が、水平物品載置部の前縁又は後縁の左右部に垂下状に設けられた一対の垂下脚と、左右の垂下脚の下端に渡された水平棒とを有するものは知られている。
【０００３】
【従来技術の欠点】
前記従来の棚には以下の如き欠点があった。
工場から出荷する際の運搬効率を向上させるために、下側の棚の後側脚部材の後方に上側の棚の後側脚部材を位置させて、下側の棚の上方からそれに上側の棚を重ねようとしても、上側の棚の前側脚部材が下側の棚の水平物品載置部と衝突して、棚を上下に重ねることが出来ないという欠点があった。
【０００４】
【課題を解決するための手段】
本発明は前記欠点を解消するために以下の如き手段を採用した。
請求項１の発明は、上下に重ねられる上下の棚を有し、前記棚が、平面形状矩形の、長手方向を前後方向に向けた左右一対の棒材、及び棒材に渡し止められた長手方向を左右方向に向けた所要本の渡し棒からなる水平物品載置部と、水平物品載置部の前縁及び後縁に垂下状に設けられた前後側脚部材とを有し、前記前側脚部材が、水平物品載置部の前縁左右部に垂下状に設けられた一対の前側垂下脚と、左右の前側垂下脚の下端に渡された前側水平棒本体、及び前側水平棒本体の左右端に後方突出状に設けられた端部からなる前側水平棒とを有し、下側となる棚の水平物品載置部の一番前の渡し棒と、一番前の渡し棒より前方に突出する、左右の棒材の前部とにより形成され、前方及び上下方に開放した空間の右側部に、上側となる棚の右側の前側垂下脚が嵌まる、逃がし凹所が形成され、上側となる棚の前側水平棒の前側水平棒本体と端部とにより形成され、後方及び上下方に開放した空間の左側部に、下側となる棚の左側の前側垂下脚が嵌まる、逃がし凹所が形成されている棚の組み合わせである。
請求項２の発明は、平面形状矩形の、長手方向を前後方向に向けた左右一対の棒材、及び棒材に渡し止められた長手方向を左右方向に向けた所要本の渡し棒からなる水平物品載置部と、水平物品載置部の前縁及び後縁に垂下状に設けられた前後側脚部材とを有し、前記前側脚部材が、水平物品載置部の前縁左右部に垂下状に設けられた一対の前側垂下脚と、左右の前側垂下脚の下端に渡された前側水平棒本体、及び前側水平棒本体の左右端に後方突出状に設けられた端部からなる前側水平棒とを有し、水平物品載置部の一番前の渡し棒と、一番前の渡し棒より前方に突出する、左右の棒材の前部とにより形成され、前方及び上下方に開放した空間の右側部に、右側の前側垂下脚が嵌まるようになされた、逃がし凹所が形成され、前側水平棒の前側水平棒本体と端部とにより形成され、後方及び上下方に開放した空間の左側部に、左側の前側垂下脚が嵌まるようになされた、逃がし凹所が形成されている棚である。
【０００５】
【発明の効果】
本発明は前記した如き構成によって以下の如き効果を奏する。
▲１▼請求項１の発明によれば、段落番号００１３で説明するごとく、棚を嵩張らないようにして上下に重ねることが出来るので、棚の運搬効率を上げることが出来る。
▲２▼請求項２の発明によれば、段落番号００１３で説明するごとく、棚を嵩張らないようにして上下に重ねることが出来るので、棚の運搬効率を上げることが出来る。
【０００６】
【発明の実施の形態】
以下に本発明の実施の形態を説明する。
なお、この説明において、前とは図１下側を、後とは同図上側をいい、左とは図１左側を、右とは同図右側をいう。
【０００７】
棚１は、平面形状矩形の水平物品載置部２と、水平物品載置部２の前縁及び後縁に垂下状に設けられた前後側脚部材３、４とを有している。
【０００８】
前記水平物品載置部２は、長手方向を前後方向に向けた左右一対の棒材６と、棒材６に渡し止められた長手方向を左右方向に向けた所要本の渡し棒７とを有している。
【０００９】
前記前側脚部材３は、水平物品載置部２の前縁の左右部（棒材６の前端）に垂下状に設けられた一対の前側垂下脚９と、左右の前側垂下脚９の下端に渡された前側水平棒１０とを有している。前側脚部材３は、左右の前側垂下脚９の下端を前側水平棒１０でつないだかたちのものであるので、水平物品載置部２に重い物品が載置された場合も、その物品の荷重に耐えて変形しにくい。
【００１０】
前記後側脚部材４は、水平物品載置部２の後縁の左右部（棒材６の後端）に垂下状に設けられた一対の後側垂下脚１２と、左右の後側垂下脚１２の下端に渡された後側水平棒１３とを有している。
【００１１】
前記水平物品載置部２の前縁部に前方及び上下方に開放した空間１５が形成されている。この空間１５は、具体的には、一番前の渡し棒７と、一番前の渡し棒７より前方に突出する、左右の棒材６の前部とで形成されている。前記空間１５の右側部が、右側の前側垂下脚９が嵌まるようになされた、前方及び上下方に開放した逃がし凹所１６となされている。
【００１２】
前記前側水平棒１０は、長手方向を左右方向に向けた本体１０ａと、本体１０ａの左右端に後方突出状に設けられた端部１０ｂとを有している。本体１０ａと端部１０ｂとにより、後方及び上下方に開放した空間１８が形成されている。この空間１８の左端部が、左側の前側垂下脚９が嵌まるようになされた、後方及び及び上下方に開放した逃がし凹所１９となされている。
【００１３】
次に棚１を上下に重ねる方法について説明する。
下側の棚１の上方に以下の状態となるようにして上側の棚１を位置させる。
（１）上から見て、下側の棚１の後側脚部材４より後方に上側の棚１の後側脚部材４が位置する状態とする。
（２）上から見て、下側の棚１の逃がし凹所１６に上側の棚１の右側の前側垂下脚９が対向する状態とする。
（３）上から見て、下側の棚１の左側の前側垂下脚９に上側の棚１の逃がし凹所１９が対向する状態とする。
その後、上側の棚１を下側の棚１に重ねるように下降させれば、下側の棚１に上側の棚１が重なる。
なお、図１では上側の棚１と下側の棚１とを分別しやすいように、上側の棚１の後側脚部材４と下側の棚１の後側脚部材４との間に間隙があり、また、上側の棚１の左側の棒材６と下側の棚１の左側の棒材６との間に間隙があるように描かれているが、実際にはその間隙はない。
【００１４】
３つ以上の棚１を重ねるには、最上位置の棚１に対して上に重ねる棚１を前記と同様の作業で重ねればよい。なお、上下に重ねられる棚１の個数（一番下から一番上までの個数）をＮとすると、逃がし凹所１６及び逃がし凹所１９の左右幅は、前側垂下脚９の左右幅の（Ｎ―１）倍以上となされる共に、逃がし凹所１６及び逃がし凹所１９の前後幅は、前側垂下脚９の前後幅の（Ｎ―１）倍以上となされる。
【００１５】
【変形例等】
以下に変形例等について説明を加える。
（１）前側水平棒１０を、本体１０ａと、本体１０ａの左側の平面形状Ｕ字状の端部とにより構成し、平面形状Ｕ字状の端部により逃がし凹所１９を形成するようにしてもよい。
（２）２個の棚１を上下に重ねるだけの際は、下側の棚１に逃がし凹所１６を形成し、上側の棚１に逃がし凹所１９を形成するだけでよい。
（３）後側脚部材４及び水平物品載置部２は単なる板状のものであってもよい。
【図面の簡単な説明】
【図１】本発明の実施の形態を示す平面図である。
【図２】図１のＩＩ−ＩＩ線に沿う中間省略の拡大矢視図である。
【図３】図１のＩＩＩ−ＩＩＩ線に沿う中間省略の拡大断面図である。
【符号の説明】
１  棚
２  水平物品載置部
３  前側脚部材
４  後側脚部材
９  前側垂下脚
１０  前側水平棒
１０ａ  本体
１０ｂ  端部
１６  逃がし凹所
１９  逃がし凹所
【図１】
0003839702.tif 000002
【図２】
0003839702.tif 000003
【図３】
0003839702.tif 000004